(57)【要約】【課題】大根の先端部及び基端部を切断しておろすべき端面を形成し、この大根を圧接機構の載置体上に載置し、圧接機構により大根の端面を多数のおろし刃をもつ回転刃盤に圧接し、回転機構で回転刃盤を回転させることにより大根の端面をおろすことになり、この際、上記回転刃盤は歯車機構より上記大根の端面の略中心軸線の廻りに自転しつつ公転することになり、このため、楽に大根をおろすことができる。【解決手段】器体１と、多数のおろし刃をもつ回転刃盤３と、回転刃盤を回転させる回転機構２と、回転刃盤に大根Ｗの端面Ｗ１を圧接可能な圧接機構４とからなり、上記回転機構に上記回転刃盤を上記大根の端面の略中心軸線Ｌの廻りに自転しつつ公転させる歯車機構１５を設けてなることを特徴とする。【選択図】        図１
2004357971.tif 000002
【特許請求の範囲】
【請求項１】
器体と、多数のおろし刃をもつ回転刃盤と、該回転刃盤を回転させる回転機構と、該回転刃盤に大根の端面を圧接可能な圧接機構とからなり、上記回転機構に上記回転刃盤を上記大根の端面の略中心軸線の廻りに自転しつつ公転させる歯車機構を設けてなることを特徴とする大根おろし器。
【請求項２】
上記回転刃盤を複数個配置してなることを特徴とする請求項１記載の大根おろし器。
【請求項３】
上記回転刃盤はそれぞれ外径が大小に異なることを特徴とする請求項１又は２記載の大根おろし器。
【請求項４】
上記歯車機構は、上記器体に上記大根の端面の略中心軸線上にして配置された駆動軸と、該駆動軸に固定された腕部材と、該器体に固定配置された内歯歯車と、該腕部材の半径上に設けられ、該内歯歯車に遊転自在に歯合され、上記回転刃盤を取付可能な外歯歯車とからなることを特徴とする請求項１〜３のいずれか１項に記載の大根おろし器。
【発明の詳細な説明】
【０００１】
【発明の属する技術分野】
本発明は例えば家庭台所用品として用いられる大根おろし器に関するものである。
【０００２】
【従来の技術】
従来、この種の大根おろしに際しては、一般的に金属、陶器、ガラス製、硬質プラスチック製などのおろし金が用いられ、刃目の形、大きさ、配列状態などにより用途が分かれ、おろす作業により材料は微小化し質感や舌触り、香りやうま味などが向上し、そのまま付合せにしたり、薬味にすることが多く、その他、調味して和え物の衣、煮物の仕上げに加えて煮汁を材料にからめたりするなど他用途に用いられている。
【０００３】
【発明が解決しようとする課題】
しかしながら、おろし金の場合、大根の端面をおろし金に強く押し当てながら面方向の押引や回転を繰り返しておろす作業となり、このため、高齢者や女性に負担を強いる大変な作業になることがあるという不都合を有している。
【０００４】
【課題を解決するための手段】
本発明はこのような課題を解決することを目的とするもので、本発明のうちで、請求項１記載の発明にあっては、器体と、多数のおろし刃をもつ回転刃盤と、該回転刃盤を回転させる回転機構と、該回転刃盤に大根の端面を圧接可能な圧接機構とからなり、上記回転機構に上記回転刃盤を上記大根の端面の略中心軸線の廻りに自転しつつ公転させる歯車機構を設けてなることを特徴とする大根おろし器にある。
【０００５】
又、請求項２記載の発明にあっては、上記回転刃盤を複数個配置してなることを特徴とするものであり、又、請求項３記載の発明は、上記回転刃盤はそれぞれ外径が大小に異なることを特徴とするものであり、又、請求項４記載の発明は、上記歯車機構は、上記器体に上記大根の端面の略中心軸線上にして配置された駆動軸と、該駆動軸に固定された腕部材と、該器体に固定配置された内歯歯車と、該腕部材の半径上に設けられ、該内歯歯車に遊転自在に歯合され、上記回転刃盤を取付可能な外歯歯車とからなることを特徴とするものである。
【０００６】
【発明の実施の形態】
図１乃至図４は本発明の実施の形態例を示し、１は器体、２は回転機構、３は回転刃盤、４は圧接機構であって、この場合、回転刃盤３は大小二個設けられ、回転刃盤３・３の盤面には複数個の刃目３ａ・３ａを円環状に配列したおろし刃３ｂ・３ｂが多数組形成されてなり、器体１を本体５上に固定し、器体１に駆動軸６を回転自在に横設し、駆動軸６に手廻ハンドル７を取付け、手廻ハンドル７を手動回転させて駆動軸６を回転させるようにしている。
【０００７】
又、この場合、上記圧接機構４は、本体５に大根Ｗを横設配置可能な半円筒状の載置体７を設け、載置体８に大根Ｗの反対端面を圧接可能な圧接盤９を載置体８の両側壁に形成した対向一対の摺動溝１０ａ及び圧接盤９に突設した一対の摺動ピン１０ａからなる案内機構１０により水平進退自在に設け、かつ、本体５にレバー部材１１を支点軸１２により揺動自在に設け、レバー部材１１の上端部を圧接盤９に枢着軸１３により枢着連結し、レバー部材１１と本体５との間に圧接盤９を回転刃盤３に向けて弾圧可能なバネ部材１４を掛架して構成している。
【０００８】
又、この場合、上記回転機構２に上記回転刃盤３・３を大根Ｗの端面Ｗ１の略中心軸線Ｌの廻りに自転しつつ公転させる歯車機構１５が設けられ、この場合、上記器体１に大根Ｗの端面Ｗ１の略中心軸線Ｌ上にして駆動軸６を配設し、この駆動軸６に腕部材１６の中心部を固定し、器体１に内歯歯車１７を固定配置し、この腕部材１６の半径上二カ所に内歯歯車１６に歯合する二個の外歯歯車１８・１８を軸１８ａ・１８ａにより遊転自在に設け、この二個の外歯歯車１７・１７に中心軸線Ｌに達する外径の回転刃盤３及び小さい回転刃盤３の、外径が大小異なる回転刃盤３・３をそれぞれ取り付けて構成している。
【０００９】
この場合、内歯歯車１７の歯数は９６個、外歯歯車１８・１８の歯数はいずれも３２個となっているが、適宜変更される。
【００１０】
この実施の形態例は上記構成であるから、大根Ｗの先端部及び基端部を切断しておろすべき端面Ｗ１を形成し、図１の如く、この大根Ｗを圧接機構４の載置体８上に載置し、バネ部材１４により圧接盤９で大根Ｗの端面Ｗ１を多数のおろし刃３ｂをもつ回転刃盤３に圧接し、回転機構２としての手廻ハンドル７を回転して回転刃盤３を回転させることにより大根Ｗの端面Ｗ１をおろして収納ケースＭ内に落下させることになり、この際、上記回転刃盤３・３は歯車機構１５より上記大根Ｗの端面Ｗ１の略中心軸線Ｌの廻りに自転しつつ公転することになり、このため、楽に大根Ｗをおろすことができる。
【００１１】
又、この場合、上記回転刃盤３・３を複数個配置してなるから、大根Ｗを迅速におろすことができ、又、この場合、上記回転刃盤３・３はそれぞれ外径が大小に異なるので、一層容易におろすことができ、又、この場合、上記歯車機構１５は、上記器体１に上記大根Ｗの端面Ｗ１の略中心軸線Ｌ上にして配置された駆動軸６と、駆動軸６に固定された腕部材１６と、器体１に固定配置された内歯歯車１７と、腕部材１６の半径上に設けられ、内歯歯車１７に遊転自在に歯合され、上記回転刃盤３・３を取付可能な外歯歯車１８とからなるので、歯車機構１５の構造を簡素化することができる。
【００１２】
尚、本発明は上記実施の形態例に限られるものではなく、器体１の形態、歯車機構１５の構造や回転刃盤３の数、回転機構２、圧接機構４の構造等は適宜変更して設計され、例えば、電動モータにより駆動軸６を回転させたり、腕部材１６を円盤状に形成して複数個の回転刃盤を取り付ける構造とすることもできる。
【００１３】
【発明の効果】
本発明は上述の如く、請求項１記載の発明にあっては、大根の先端部及び基端部を切断しておろすべき端面を形成し、この大根を圧接機構の載置体上に載置し、圧接機構により大根の端面を多数のおろし刃をもつ回転刃盤に圧接し、回転機構で回転刃盤を回転させることにより大根の端面をおろすことになり、この際、上記回転刃盤は歯車機構より上記大根の端面の略中心軸線の廻りに自転しつつ公転することになり、このため、楽に大根をおろすことができる。
【００１４】
又、請求項２記載の発明にあっては、上記回転刃盤を複数個配置してなるから、大根を迅速におろすことができ、又、請求項３記載の発明にあっては、上記回転刃盤はそれぞれ外径が大小に異なるので、一層容易におろすことができ、又、請求項４記載の発明にあっては、上記歯車機構は、上記器体に上記大根の端面の略中心軸線上にして配置された駆動軸と、駆動軸に固定された腕部材と、器体に固定配置された内歯歯車と、腕部材の半径上に設けられ、内歯歯車に遊転自在に歯合され、上記回転刃盤を取付可能な外歯歯車とからなるので、歯車機構の構造を簡素化することができる。
【００１５】
以上、所期の目的を充分達成することができる。
【図面の簡単な説明】
【図１】本発明の実施の形態例の全体側断面図である。
【図２】本発明の実施の形態例の部分平面図である。
【図３】本発明の実施の形態例の部分側面図である。
【図４】本発明の実施の形態例の部分側断面図である。
【符号の説明】
Ｗ  大根
Ｗ１  端面
１  器体
２  回転機構
３  回転刃盤
４  圧接機構
６  駆動軸
１５  歯車機構
１６  腕部材
１７  内歯歯車
１８  外歯歯車
【図１】
2004357971.tif 000003
【図２】
2004357971.tif 000004
【図３】
2004357971.tif 000005
【図４】
2004357971.tif 000006